(57)【要約】      （修正有）【課題】楽器が損傷を受けず、素早くかつ問題なく楽器を交換できるマルチギタースタンドを提供する。【解決手段】楽器スタンド（１）は、架台（１０）と、架台（１０）に組み立て可能であり、楽器ボディのためのそれぞれ１つの支持面（２１０ａ、２１０ｂ）を有する１対の支持部材（２０ａ、２０ｂ）とを有している。架台（１０）は、２つの互いに平行に延びる支持バー（１２ａ、１２ｂ）を有する支持フレーム（１１）と、支持フレーム（１１）と、旋回移動可能に接続された当接ハンガー（１４）とを有している。支持アーム１６の上部と支持アーム１７の上部に渡って配置される当接バーは、直接又は当接バーに固定可能な当接要素（３０）を介して、楽器のネックのための少なくとも１つの当接面（３１）を定義する。【選択図】図３
2019124903.tif 000002
【特許請求の範囲】
【請求項１】
ボディ及びネックを有する少なくとも１つの楽器、特に少なくとも１つのギター及び／又はベースギター、を格納するための楽器スタンド（１）、特にマルチギタースタンド、であって、
前記楽器スタンド（１）は、台（１０）と、前記台（１０）に組み立て可能であり、前記楽器の前記ボディのためのそれぞれ１つの支持面（２１０ａ、２１０ｂ）を有する少なくとも１対の支持部材（２０ａ、２０ｂ）とを有しており、
前記台（１０）は、それぞれ非回転対称の、特に多角形の、横断面形状（Ｑ１）を有する２つの互いに平行に延びる支持バー（１２ａ、１２ｂ）を有する支持フレーム（１１）と、前記支持フレーム（１１）と、好ましくは旋回移動可能に、接続された当接ハンガー（１４）とを有しており、
前記当接ハンガー（１４）は、前記支持バー（１２ａ、１２ｂ）に対して平行に延びる当接バー（１５）と、前記当接バー（１５）をそれぞれ前記支持フレーム（１１）と接続する少なくとも１つの支持アーム（１６、１７）とを有しており、
前記当接バー（１５）は、直接又は前記当接バー（１５）に固定可能な当接要素（３０）を介して、前記楽器の前記ネックのための少なくとも１つの当接面（３１）を定義している楽器スタンド（１）であって、
前記支持部材（２０ａ、２０ｂ）は、前記支持バー（１２ａ、１２ｂ）を基準として回転的に定められた少なくとも１つの支持整列（Ｓ１、Ｓ２）で各支持部材（２０ａ、２０ｂ）を支持バー（１２ａ、１２ｂ）に固定するために、前記支持バー（１２ａ、１２ｂ）の前記横断面形状（Ｑ１）に適合した固定用凹部（２４）をそれぞれ有していることを特徴とする楽器スタンド（１）。
【請求項２】
各支持部材（２０ａ、２０ｂ）は、特に第１の楽器を支持するための、前記支持バー（１２ａ、１２ｂ）を基準として回転的に定められた第１の支持整列（Ｓ１）、及び、特に前記第１の楽器とは異なる第２の楽器を支持するための、前記支持バー（１２ａ、１２ｂ）を基準として回転的に定められた第２の支持整列（Ｓ２）において、前記支持バー（１２ａ、１２ｂ）に、組み立て可能に形成されており、前記第１及び第２の支持整列（Ｓ１又はＳ２）は、好ましくは６０°〜１２０°の角度、特に９０°、互いに対してねじれていることを特徴とする、請求項１に記載の楽器スタンド（１）。
【請求項３】
前記支持面（２１０ａ、２１０ｂ）は、前記固定用凹部（２４）の対称軸（Ａ）に対して、傾斜して、好ましくは３０°〜６０°だけ、特に４５°だけ、ねじれて、延びている支持平面（Ｅ）を定義することを特徴とする、請求項１又は２のいずれか１項に記載の楽器スタンド（１）。
【請求項４】
前記固定用凹部（２４）は、支持部材（２０ａ、２０ｂ）において偏心して、特に前記支持部材（２０ａ、２０ｂ）の中央軸（Ｍ）に対してずらして、配置されることを特徴とする、請求項１乃至３のいずれか１項に記載の楽器スタンド（１）。
【請求項５】
前記当接バー（１５）は、非回転対称の、特に多角形の、横断面形状（Ｑ２）を有しており、
前記当接要素（３０）の前記当接バー（１５）への固定のために、前記当接要素（３０）は、前記当接バー（１５）の前記横断面形状（Ｑ２）に適合した固定用凹部（３４）を有していることを特徴とする、請求項１乃至４のいずれか１項に記載の楽器スタンド（１）。
【請求項６】
前記支持部材（２０ａ、２０ｂ）及び／又は前記当接要素（３０）の前記固定用凹部（２４、３４）は、貫通開口部又はスプリングクランプとして形成され、前記支持部材（２０ａ、２０ｂ）及び／又は前記当接要素（３０）は、特にそれぞれ前記支持バー（１２ａ、１２ｂ）と前記当接バー（１５）上に、長手方向でスライドすることが可能である、又は、横方向で挟み留めることが可能であることを特徴とする、請求項１乃至５のいずれか１項に記載の楽器スタンド（１）。
【請求項７】
前記支持部材（２０ａ、２０ｂ）は、楽器のボディを支えるための１つの中央支持面（２１０ａ、２１０ｂ）と、前記楽器の前記ボディの側方移動を制限するための２つの互いに向き合う側方支持面（２２０ａ、２２０ｂ又は２３０ａ、２３０ｂ）とを、形成することを特徴とする、請求項１乃至６のいずれか１項に記載の楽器スタンド（１）。
【請求項８】
前記支持部材（２０ａ、２０ｂ）は、前記固定用凹部（２４）の領域において、前記中央支持面（２１０ａ、２１０ｂ）の領域及び／又は前記側方支持面（２２０ａ、２２０ｂ又は２３０ａ、２３０ｂ）の領域においてよりも、より堅く、好ましくはより高い剛性を有する材料から、形成されることを特徴とする、請求項１乃至７のいずれか１項に記載の楽器スタンド（１）。
【請求項９】
前記支持部材（２０ａ、２０ｂ）は、１つの中央要素（２１ａ、２１ｂ）と、前記中央要素（２１ａ、２１ｂ）の両側に配置され、好ましくは前記中央要素（２１ａ、２１ｂ）と接続可能である、２つの側方要素（２２ａ、２２ｂ又は２３ａ、２３ｂ）とを有しており、前記中央要素（２１ａ、２１ｂ）は、好ましくは、前記中央支持面（２１０ａ、２１０ｂ）及び前記側方支持面（２２０ａ、２３０ａ、２２０ｂ、２３０ｂ）を形成し、前記中央要素（２１ａ、２１ｂ）は、特に軟弾力性を有し、好ましくはエラストマー、特に熱可塑性エラストマー（ＴＰＥ）を有して、形成されていることを特徴とする、請求項１乃至８のいずれか１項に記載の楽器スタンド（１）。
【請求項１０】
前記側方要素（２２ａ、２２ｂ又は２３ａ、２３ｂ）は、前記固定用凹部（２４）を形成し、前記側方要素（２２ａ、２２ｂ又は２３ａ、２３ｂ）は、特に屈曲に強く及び／又はねじれに強く、好ましくは熱可塑物質、特にポリアミド、から形成されていることを特徴とする、請求項９に記載の楽器スタンド（１）。
【請求項１１】
前記中央要素（２１ａ、２１ｂ）は、外側の側面（２７２）で、特にエッジ成形物（２１０、２２０）を用いて、ねじれに強い形状結合的な接続を介して側方要素（２２ａ、２２ｂ又は２３ａ、２３ｂ）と接続可能であり、前記エッジ成形物（２１０、２２０）は互いに対して適合するように形成され、好ましくは段状であることを特徴とする、請求項９又は１０のいずれか１項に記載の楽器スタンド（１）。
【請求項１２】
前記中央要素（２１ａ、２１ｂ）は、長手方向において、両側が開いた中空体（２５）を有しており、前記中空体（２５）の中央領域において、外側（２６）に、前記支持面（２１０ａ、２１０ｂ）が形成され、及び、前記中空体（２５）の少なくとも１つの側方領域において、前記支持面（２１０ａ、２１０ｂ）に対して、好ましくはアーチ形に、突出する支持エッジ（２７）が、前記側方支持面（２２０ａ、２３０ａ、２２０ｂ、２３０ｂ）を形成することを特徴とする、請求項９乃至１１のいずれか１項に記載の楽器スタンド（１）。
【請求項１３】
前記支持部材（２０ａ、２０ｂ）は、前記固定用凹部（２４）を形成する内側キャリア要素（２８）と、前記内側キャリア要素（２８）に固定可能な、特に差し込み可能な、外側の、好ましくは１つの部品からなる、カバー要素（２９）を有し、前記カバー要素（２９）は、特に前記中央支持面（２１０ａ、２１０ｂ）と、前記側方支持面（２２０ａ、２２０ｂ又は２３０ａ、２３０ｂ）とを形成し、好ましくは前記内側キャリア要素（２８）は、屈曲に強く、及び／又は、ねじれに強く、前記カバー要素（２９）は、軟弾力性を有して形成されることを特徴とする、請求項１乃至８のいずれか１項に記載の楽器スタンド（１）。
【請求項１４】
請求項１乃至１３のいずれか１項に記載の楽器スタンド（１）の非回転対称の横断面形状（Ｑ）を有する支持バー（１２ａ、１２ｂ）に固定するために形成された支持部材（２０ａ、２０ｂ）。
【請求項１５】
ボディ及びネックを有する少なくとも１つの楽器、特に少なくとも１つのギター及び／又はベースギター、を格納するための楽器スタンド（１）、特にマルチギタースタンド、であって、
前記楽器スタンド（１）は、台（１０）と、好ましくは、前記台（１０）に組み立て可能であり、前記楽器の前記ボディのためのそれぞれ１つの支持面（２１０ａ、２１０ｂ）を有する少なくとも１対の支持部材（２０ａ、２０ｂ）とを有しており、
前記台（１０）は、それぞれ非回転対称の、特に多角形の、横断面形状（Ｑ１）を有する２つの互いに平行に延びる支持バー（１２ａ、１２ｂ）を有する支持フレーム（１１）と、前記支持フレーム（１１）と、好ましくは旋回移動可能に、接続された当接ハンガー（１４）とを有しており、
前記当接ハンガー（１４）は、前記支持バー（１２ａ、１２ｂ）に対して平行に延びる当接バー（１５）と、前記当接バー（１５）をそれぞれ前記支持フレーム（１１）と接続する少なくとも１つの支持アーム（１６、１７）とを有しており、
前記当接バー（１５）は、直接又は前記当接バー（１５）に固定可能な当接要素（３０）を介して、前記楽器の前記ネックのための少なくとも１つの当接面（３１）を、特に請求項１乃至１３のいずれか１項に従って、定義している楽器スタンド（１）であって、
前記少なくとも１つの支持アーム（１６、１７）は、それぞれ、外側支持アーム成形物（４１）と、前記外側支持アーム成形物（４１）内に移動可能に受容された内側支持アーム成形物（４２）とを有して、伸縮可能に形成されることを特徴とする、楽器スタンド（１）。
【請求項１６】
前記支持アーム（１６、１７）は、前記当接バー（１５）を所定の伸縮された位置に固定するために、特に前記外側及び内側支持アーム成形物（４１又は４２）の間に、ロック手段（４３）を有していることを特徴とする、請求項１乃至１５のいずれか１項に記載の楽器スタンド（１）。
【請求項１７】
ボディ及びネックを有する少なくとも１つの楽器、特に少なくとも１つのギター及び／又はベースギター、を格納するための楽器スタンド（１）、特にマルチギタースタンド、であって、
前記楽器スタンド（１）は、台（１０）と、好ましくは、前記台（１０）に組み立て可能であり、前記楽器の前記ボディのためのそれぞれ１つの支持面（２１０ａ、２１０ｂ）を有する少なくとも１対の支持部材（２０ａ、２０ｂ）とを有しており、
前記台（１０）は、それぞれ非回転対称の、特に多角形の、横断面形状（Ｑ１）を有する２つの互いに平行に延びる支持バー（１２ａ、１２ｂ）を有する支持フレーム（１１）と、前記支持フレーム（１１）と接続された当接ハンガー（１４）とを有しており、
前記当接ハンガー（１４）は、前記支持バー（１２ａ、１２ｂ）に対して平行に延びる当接バー（１５）と、前記当接バー（１５）をそれぞれ前記支持フレーム（１１）と接続する少なくとも１つの支持アーム（１６、１７）とを有しており、
前記当接バー（１５）は、直接又は前記当接バー（１５）に固定可能な当接要素（３０）を介して、前記楽器の前記ネックのための少なくとも１つの当接面（３１）を、特に請求項１乃至１６のいずれか１項に従って、定義している楽器スタンド（１）であって、
前記支持フレーム（１１）は、少なくとも１つの旋回継手（１８）を介して、前記当接ハンガー（１４）と、旋回移動可能に接続されており、
前記当接ハンガー（１４）は、第１の噛合手段（１４１）を有し、固定機構（５０）によって、少なくとも１つの端部位置（Ｐ１、Ｐ２）において、好ましくは２つの端部位置（Ｐ１、Ｐ２）において、固定可能である楽器スタンド（１）。
【請求項１８】
請求項１乃至１７のいずれか１項に記載の楽器スタンド（１）であって、
前記固定機構（５０）は、
前記旋回継手（１８）の旋回軸（Ｂ）に対して鉛直な屈曲自由度及び第１の噛合手段（１４１）に対応する第２の噛合手段（５２）を有し、前記支持フレーム（１１）と固く接続された屈曲要素（５１）、好ましくは前記支持フレーム（１１）に鋳合わせられた合成材料スプリング要素と、
前記屈曲要素（５１）に旋回軸の方向において噛合弾力で当たる、好ましくは金属からなり、前記支持フレーム（１１）に支持されたスプリング（５３）とを有することを特徴とする楽器スタンド（１）。
【請求項１９】
請求項１８に記載の楽器スタンド（１）であって、
前記スプリング（５３）は、２対のスプリング脚部ペア（５４）と、前記スプリング脚部ペア（５４）を接続する横方向支柱（５５）とを有しており、前記スプリング脚部ペア（５４）は、前記支持フレーム（１１）に隣接し、前記横方向支柱（５５）は前記屈曲要素（５１）の切欠き（５６）に噛合っていることを特徴とする楽器スタンド（１）。
【請求項２０】
請求項１８又は１９のいずれか１項に記載の楽器スタンド（１）であって、
前記スプリング（５３）のスプリング脚部端部（５７）は、特に前記回転継手（１８）の軸（１８０）を軸方向に固定するために、前記旋回継手（１８）の軸（１８０）の円周切欠き（１８１）に、噛合っていることを特徴とする楽器スタンド（１）。
【発明の詳細な説明】
【技術分野】
【０００１】
本発明は、請求項１、１５、１７に記載の上位概念による楽器スタンド、特にマルチギタースタンド、及び、請求項１４に記載のこのような楽器スタンドのための支持部材に関する。
【背景技術】
【０００２】
従来技術により、例えばギター又はベースギターといった、ボディとネックを有する複数の楽器のためのスタンドが知られている。特に、ギタリストやベーシストは、しばしば、異なるギターやベースギターを所有し使用しており、それらのギターやベースギターを、保管するために、又は、リハーサル室もしくはステージで使用する準備をするために、楽器スタンドに格納したいと考える。とりわけ、高品質な楽器は繊細であり、慎重に格納する、すなわち、支持する、又は、立て掛ける必要がある。したがって、楽器スタンドは、一方では、格納された楽器が損傷を受けないこと、特に倒れたり傷ついたりすることがないことを保証し、他方では、素早くかつ問題なく楽器を交換するために、楽器を利用しやすいことを可能にするべきである。
【０００３】
特許文献１より、ボディとネックとを有する１つ又は複数の楽器、例えばギター、を置くための楽器スタンドが公知である。２つの互いに離間し平行な長手キャリア上に、中間部及び横方向支柱が、交互に隣り合って配置されている。中間部及び横方向支柱は、長手キャリア上でスライドされる。横方向支柱は、長手キャリアを互いに接続している。横方向支柱は、一方では、中間部上に格納された楽器同士が接触すること、他方では、楽器がねじれてしまうことや楽器が長手キャリア間に落下することを防ぐべきである。端部側の横方向支柱が端部部材に隣接していることによって、交互に配置された中間部が長手キャリア上で互いに固定され、移動出来ないように保持される。
【先行技術文献】
【特許文献】
【０００４】
【特許文献１】ドイツ連邦共和国特許第１０  １０２０  ０５２  ５８４  号公報
【発明の概要】
【０００５】
このような楽器スタンドには複数の欠点がある。まず、中間部と横方向支柱の位置が長手キャリア上で固定されてしまう。加えて、それぞれ所定の長さを有した、丁度定められた数の中間部及び横方向支柱しか利用することができない。この数は、長手キャリアの全長に、丁度合うように調整されていなければならない。更に、この公知の楽器スタンドは、任意の楽器のボディの全ての形状には適していない。
【０００６】
概して、先行技術より公知の楽器スタンドは、個々の適合可能性と柔軟な使用可能性に関するミュージシャンからの高い要求に対して、十分に応じていない。
【０００７】
したがって、本発明は、より柔軟に使用することの出来る楽器スタンドを提供するという課題を有している。特に、楽器スタンドは、少なくともボディ及びネックを有する多数の異なるタイプの楽器に対して、好ましくは可能な限り簡単に、適合可能であるべきである。更に、特に楽器を損傷することなく、楽器を確実に格納することが可能であるべきである。
【０００８】
本課題は、請求項１、１５、１７に記載の楽器スタンド、及び、請求項１４に記載の支持部材によって解決される。
【０００９】
特に、本課題は、ボディ及びネックを有する少なくとも１つの楽器、特に少なくとも１つのギター及び／又はベースギター、を格納するための楽器スタンド、特にマルチギタースタンド、であって、前記楽器スタンドは、台と、前記台に組み立て可能であり、前記楽器の前記ボディのためのそれぞれ１つの支持面を有する少なくとも１対の支持部材とを有しており、前記台は、それぞれ非回転対称の、特に多角形の、横断面形状を有する２つの互いに平行に延びる支持バーを有する支持フレームと、前記支持フレームと、好ましくは旋回移動可能に、接続された当接ハンガーとを有しており、前記当接ハンガーは、前記支持バーに対して平行に延びる当接バーと、前記当接バーをそれぞれ前記支持フレームと接続する少なくとも１つの支持アームとを有しており、前記当接バーは、直接又は前記当接バーに固定可能な当接要素を介して、前記楽器の前記ネックのための少なくとも１つの当接面を定義している楽器スタンドであって、前記支持部材は、前記支持バーを基準として回転的に定められた少なくとも１つの支持整列で各支持部材を支持バーに固定するために、前記支持バーの前記横断面形状に適合した固定用凹部をそれぞれ有していることを特徴とする楽器スタンドによって解決される。
【００１０】
特に、支持バーは長軸を有しており、支持バーは、長軸に直交する平面において、非回転対称の横断面形状又は非回転対称の横断面輪郭を有している。支持バーの非回転対称の横断面形状とは、支持バーの長軸の周りを任意の角度だけ回転した（ねじれた）際に自身と合同とならないような横断面形状であると解釈することが出来る。例えば、横断面形状は、多角形であり、特に、長方形、卵形、楕円形、十字形、Ｔ字形である、又は、半円形の短辺を有する縦長の横断面（長穴の形状）であることが出来る。特に、横断面形状は、円形ではない。特に、支持バーと固定用凹部との間に形状結合をもたらすことが出来る。特に、支持バーの横断面形状は、固定用凹部の横断面又は輪郭と、少なくとも実質的に、一致している。
【００１１】
支持部材は、好ましくは、楽器のボディを、（支持バーに直交する）垂直方向及び（支持バーに沿った）側方方向において、支持するために、形成される。好ましくは、支持部材同士は、互いに接続されておらず、支持バー上で、少なくとも、最小の長手方向の力を加えることで、軸方向に移動可能に配置されることが出来る。特に、両方の支持バーの横断面形状及び（全ての）支持部材の固定用凹部は同一である。特に、１対の２つの支持部材は、２つの支持バーのそれぞれに対して固定可能である。支持部材は、支持バーに関して回転的に定められた複数の支持整列で、特に２つの異なる支持整列で、支持バーに固定可能とすることが出来る。３つ又は４つの異なる支持整列を設けることも出来る。
【００１２】
一支持部材は、１つの部品から、又は、複数の部品から形成されることが出来る。特に、支持バーの長軸を基準として、支持部材の内側及び外側の要素、及び／又は、支持バーの長手方向を基準として、連続して配置された支持部材の要素を設けることが可能である。楽器スタンドは、異なる支持部材、特に対になった支持部材を有することが出来る。これらの支持部材は、特に、長さ、支持面の形状において、及び／又は、１つ又は複数の材料に関して、異なることが可能であり、特に、１つ又は複数の所定の楽器のボディ形状に合わせることが出来る。特に、支持部材、又は、支持部材の要素は複数の材料を含むことが出来る。
【００１３】
好ましくは、楽器スタンドの両側に支持アームが設けられている。この支持アームは、当接バーとともに、当接ハンガーを形成する。しかし、中央又は片側に１つだけの支持アームもまた可能である。この支持アームと、当接バーは、Ｔ字形又はＬ字形に接続可能である。
【００１４】
本発明の楽器スタンドは、例えば、隣接して格納された楽器間に所定の距離があることが望まれる、又は、必要とされる時に、１つの支持部材又は１対の（互いに向かい合う）支持部材を、任意の軸方向位置で支持バーに固定する、又は、任意の軸方向位置へと移動することが出来るという利点を有している。更に、支持バーに固定されるべき支持部材の数を自由に選択することが出来る。これは、それぞれの支持部材が、固定用凹部を介して、それ自体で、すなわち、更に存在し得る支持部材とは独立して、自身の回転的な位置を定めることが出来るからである。加えて、個々の支持部材は、必要な場合に、他の部材を適合させることなく、交換することが出来る。異なる長さと形状の支持部材は、相互に交換したり、互いに組み合わせたりすることが出来る。楽器スタンドは、異なる支持部材をそれぞれ少なくとも１つの支持整列で組み立てることによって、可変に構成することが出来る。更に、支持部材を支持バーにねじれに強く固定するための別途の固定手段を省略することが可能である。これによって組み立てが簡単になる。概して、本発明の楽器スタンドによって、柔軟性と適合可能性が向上する。
【００１５】
本発明の有利な実施形態において、それぞれの支持部材は、特に第１の楽器を支持するための、支持バーを基準として回転的に定められた第１の支持整列で、及び、特に第１の楽器とは異なる第２の楽器を支持するための、支持バーを基準として回転的に定められた第２の支持整列で、支持バーに組み立て可能に形成される。第１及び第２の支持整列は、好ましくは６０°〜１２０°の間の角度、特に９０°、互いに対して、ねじれている。この角度は、特に、７０°〜１１０°の間、８０°〜１００°の間、又は、８５°〜９５°の間であることが出来る。特に、１対の支持部材の支持面は、第１の支持整列において、互いに向かい合っており（支持面のＶ字形の整列）、第２の支持整列において、互いに離れている（支持面のＡ字形の整列）。この支持面は、好ましくは６０°〜１２０°の間の角度、特に９０度の角度、を互いに成している。支持部材の様々な支持整列は、特に、支持バーの長手方向を基準として反対方向で固定する（向きを変える）こと、支持方向の長軸を基準として他の回転的な角度位置において固定する（ねじって、スライドする又は挟み留める）こと、又は、支持部材をそれぞれ他の支持バーに固定する（取り替える、又は、相互に交換する）ことによって、実現可能である。支持部材の様々な支持整列によって、楽器スタンドは、異なるタイプの楽器、特に、様々なボディ形状、例えば丸い（支持面のＶ字形の整列）又はＶ字形のボディ（支持面のＡ字形の整列）、を有するギター、に適合することが出来る。
【００１６】
本発明の有利な更なる形態において、支持面は、固定用凹部の対称軸に対して、傾斜して、好ましくは３０°〜６０°だけ、特に４５°だけねじれて、延びる支持平面を定義する。好ましくは、支持平面は、水平線に対して傾斜して延びている。これにより、支持バーを、所望の支持平面とは別に、整列させることが出来る。
【００１７】
本発明の有利な更なる形態において、固定用凹部は、支持部材において偏心して、特に支持部材の中央軸に対してずらして、配置される。中央軸は、支持部材が組み立てられた状態において、支持バーの長軸に対して直交して延びていると解することが出来る。特に、支持面は、片側が固定用凹部から離れて広がっている、又は、支持バーの長軸の向かい側に張り出している。このような方法で、支持部材のより大きな支持面、特に１対の互いに向き合う支持部材の２つの支持面の間により大きなスパンが得られる。これにより、楽器をより確実に支持することが出来る。
【００１８】
本発明の有利な更なる形態において、当接バーは、非回転対称の、特に多角形の、横断面形状を有する。当接要素の当接バーへの固定のために、当接要素は、当接バーの横断面形状に適合した固定用凹部を有している。特に、当接要素は、当接面の隣に、割り当てられた楽器のネックを側方から固定するための側方支持面を有している。当接要素の当接面は、割り当てられた楽器の所定のネック形状に適合させることが出来る。当接要素は、当接面を形成するための凹部を有している。当接要素は、特に当接要素が長い実施形態の場合、例えば、ギター、特にアコースティックギターのネックを、２つの可能な格納方位において支持するために、中央突出部を有する二重凹部を有することも出来る。当接要素は、好ましくは１つの部品からなり、例えば熱可塑性エラストマー（ＴＰＥ）から、製造される。このような当接要素は、既に支持部材に関して説明したのと同様な利点を有している。特に、当接要素は、当接バーの軸方向において、特に更に設けられる当接要素に左右されることなく、自由に、位置決め又は移動することが出来る。当接要素を当接バーにねじれに強く固定するための別途の固定手段は、省略することが可能である。これにより、組み立てが簡単になる。
【００１９】
本発明の有利な更なる形態において、支持部材及び／又は当接要素の固定用凹部は、貫通開口部又はスプリングクランプとして形成される。支持部材及び／又は当接要素は、特にそれぞれ支持バーと当接バー上に、長手方向でスライドすることが可能である、又は、横方向で挟み留めることが可能である。支持部材及び／又は当接要素は、差し込み可能又はクリップ留め可能に形成することも出来る。このような方法で、固定用凹部と支持バーとの間に形状結合的なねじれに強い接続が達成される。スプリングクランプ（クリップ）は、特に、（固定用凹部の領域において）弾性材料からなり、支持要素の片側が開いた固定用凹部を有して形成可能である。スライドすること又は挟み留めることによって、支持部材又は当接要素の組み立てが簡単になる。例えば、ねじなどといった、別途の固定要素は省略することが出来る。
【００２０】
本発明の有利な更なる形態において、支持部材は、楽器のボディを支えるための１つの中央支持面と、楽器のボディの側方移動を制限するための２つの互いに向き合う側方支持面とを、形成する。中央支持面によって、楽器のボディを、とりわけ垂直方向に、支持することが出来る。側方支持面によって、支持部材による楽器のボディの側方のねじれを阻止する、又は、少なくとも制限することが出来る。
【００２１】
本発明の有利な更なる形態において、支持部材は、固定用凹部の領域において、中央支持面の領域及び／又は側方支持面の領域においてよりも、より堅く、好ましくはより高い剛性を有する材料から、形成される。特に、支持部材は、固定用凹部の領域においては、好ましくは屈曲に強く及び／又はねじれに強く形成され、中央支持面の領域及び／又は側方支持面の領域においては、好ましくは軟弾力性を有して、形成される。支持部材の剛性は、その（内部）構造及び使用する材料によって、領域ごとに定めることが出来る。１つの部品からなる支持部材は、領域ごとに、他の材料部品、又は、他の材料構造から、例えば高い剛性のための穴の小さい発泡材及び低い剛性のための穴の大きい発泡材から、製造することが出来る。支持部材は、領域ごとに撓みやすくしたり弾力を持たせたりするために、領域ごとに中空状に、任意で内側に孔構造、支柱構造、又はハニカム構造を有して、形成することが出来る。複数の部品からなる支持部材の個々の要素は、異なる剛性の材料から製造することが出来る。支持部材は、固定用凹部の領域において、特に十分に堅く成される。これは、格納された楽器の重量によって支持部材が支持バーに対してねじれてしまうのを阻止するためである。有利には、支持部材は、支持面の領域において軟弾力性を有して形成される。これは、格納された楽器のボディの輪郭に少なくとも領域ごとに適合し、特に楽器を損傷しないようにするためである。
【００２２】
本発明の有利な更なる形態において、支持部材は、１つの中央要素と、中央要素の両側に配置され、好ましくは中央要素と接続可能である、２つの側方要素を有している。中央要素は、好ましくは、中央支持面及び側方支持面を形成する。中央要素は、特に軟弾力性を有して、好ましくはエラストマー、特に熱可塑性エラストマー（ＴＰＥ）を有して、形成されている。これにより、支持部材の様々な機能、特に楽器との直接の接触及び支持部材の支持バーとの接続を、それぞれ、支持部材の個々の要素によって担うことが出来る。
【００２３】
本発明の本態様の有利な更なる形態において、側方要素は、固定用凹部を形成する。側方要素は、特に屈曲に強く及び／又はねじれに強く、好ましくは熱可塑物質、特にポリアミド、から形成されている。例えば、側方要素は、ＰＡ６から製造される。屈曲に強い、及び／又は、ねじれに強い側方要素は、支持バーに対して屈曲したりねじれたりするのを阻止するために、十分な安定性を有している。
【００２４】
１つの中央要素及び２つの側方要素を有する支持部材は、個々の要素を、別々に、特に異なる材料から、製造することが出来るという利点を有している。これにより、支持部材の様々な機能を個々の要素によって実現することが出来る。特に、側方要素は、支持部材が支持バーに対してねじれてしまうのを阻止する一方で、中央要素は楽器を確実にかつ損傷しないように支持することを確実にする。
【００２５】
本発明の有利な更なる形態において、中央要素は、外側の側面で、特にエッジ成形物を用いて、ねじれに強い形状結合的な接続を介して側方要素と接続可能である。エッジ成形物は、互いに対してぴったり合うように形成され、好ましくは段状である。エッジ成形物は、好ましくは、支持バーの長軸の周りを、中間要素又は側方要素の周囲に沿って少なくとも部分的に取り囲んで、形成されている。一方又は両方の側方要素は、中央要素に差し込み可能に形成することが出来る。側方部材は、好ましくは、特に二等辺の、（角を取って丸くした）三角形の基本形状を有する。この基本形状は、特に、１つの角の領域において（角ばって）固定用凹部に適合している。中央要素及び側方要素の間のねじれに強い形状結合的な接続は、中央要素自体が支持バーの横断面形状に合う固定用凹部を有する必要がないという利点を有している。特に、中央要素は、このような方法で、中空体として形成することが出来る。これにより、中央要素の形状弾力性又は柔軟性を高めることが出来る。
【００２６】
本発明の有利な更なる形態において、中央要素は、長手方向において両側が開いた中空体を有している。中空体の中央領域において、外側に支持面が形成され、中空体の少なくとも１つの側方領域において、支持面に対して、好ましくはアーチ形に、突出する支持エッジが、側方支持面を、形成する。特に、中空体は、支持バーを長手方向に案内するための貫通開口部を形成する。特に、支持エッジは、中空体の中央領域に向かって整列された内側の側面に、側方支持面を形成する。好ましくは、支持面は、連続的に側方支持面に移行する。特に、中空体は、外側に、（中央要素が変形していない、すなわち、支持された楽器がない状態で）平らな支持面を形成する。この支持面は、側方から支持面に接続し、内側に向かって湾曲した（凹型の）側方支持面を有している。特に、中空体は、中央領域に、側方領域と比べてより狭い（細長い）横断面を有している。横断面は、側方領域において、エッジ又はエッジ成形物に向かって（連続して）幅広くなっている。中空体のエッジ横断面は、好ましくは、側方部材の（三角形の）エッジ横断面に、適合している。中空体として形成される中央要素は、簡単かつ低コストで製造可能であり、高い弾性又は柔軟性を有することが出来る。これによって、支持部材は、楽器のボディの輪郭によく当接することが出来る。
【００２７】
本発明の代替的な更なる形態において、支持部材は、固定用凹部を形成する内部キャリア要素、及び、内部キャリア要素に固定可能な、特に差し込み可能な、外側の、好ましくは１つの部品からなる、カバー要素を有する。カバー要素は、特に中央支持面及び側方支持面を形成する。好ましくは、内側キャリア要素は、屈曲に強く及び／又はねじれに強く、カバー要素は、軟弾力性を有して形成される。カバー要素は、その裏面に、内側キャリア要素に差し込むための固定手段を有している。この固定手段は、特に、内側キャリア要素の形状に適合している。特に、内側キャリア要素は、支持バーを基準として回転的に定められた第１の支持整列及び第２の支持整列で、組み立てることが可能であり、特に支持バー上に長手方向でスライドすることが出来る、又は、横方向で挟み留めることが出来る。カバー要素は、好ましくは、熱可塑性エラストマー（ＴＰＥ）を有して形成される。
【００２８】
更に、前記課題は、特に、本発明の楽器スタンドの、非回転対称の横断面形状を有する支持バーに固定するために形成される支持部材によって解決される。
【００２９】
更に、本課題は、特に、ボディ及びネックを有する少なくとも１つの楽器、特に少なくとも１つのギター及び／又はベースギター、を格納するための楽器スタンド、特にマルチギタースタンド、によって、特に上述した本発明の楽器スタンドによって、解決される。前記楽器スタンドは、台と、前記台に組み立て可能であり、前記楽器の前記ボディのためのそれぞれ１つの支持面を有する少なくとも１対の支持部材とを有しており、前記台は、それぞれ非回転対称の、特に多角形の、横断面形状を有する２つの互いに平行に延びる支持バーを有する支持フレームと、前記支持フレームと、好ましくは旋回移動可能に、接続された当接ハンガーとを有しており、前記当接ハンガーは、前記支持バーに対して平行に延びる当接バーと、前記当接バーをそれぞれ前記支持フレームと接続する少なくとも１つの支持アームとを有しており、前記当接バーは、直接又は前記当接バーに固定可能な当接要素を介して、前記楽器の前記ネックのための少なくとも１つの当接面を定義している楽器スタンドであって、前記少なくとも１つの支持アームは、それぞれ、外側支持アーム成形物と、外側支持アーム成形物内に移動可能に受容された内側支持アーム成形物とを有して、伸縮可能に形成されることを特徴としている。
【００３０】
外側支持アーム成形物は、内側支持アーム成形物とは異なる材料から製造することが出来る。好ましくは、外側支持アーム成形物は、アルミニウム製のパイプから形成され、内側支持アーム成形物は、合成物質の射出成形物、好ましくは、繊維強化プラスチック、例えばポリアミド、からなる。伸縮自在な楽器スタンドは、一方では、当接バーを所望の高さ、例えば、格納される楽器のネックの長さに応じて、位置決めすることが出来るという利点を有している。これにより、使用の際の柔軟性及び様々な楽器への適合可能性が更に高められる。他方では、伸縮自在な支持アームは、例えば、使用していない時、又は、持ち運びの時に、楽器スタンドのより小さな設置寸法又はパッキング寸法を可能とする。
【００３１】
本発明の有利な更なる形態において、支持アームは、特に外側及び内側支持アーム成形物の間に、ロック手段を有している。これは、当接バーを所定の伸縮された位置に固定するためである。ロック手段として、固定機構は、好ましくは操作可能なロックボタンを有し、外側支持アーム成形物の内側支持アーム成形物との重なり部分に設けられることが出来る。
【００３２】
更に、本課題は、特に、ボディ及びネックを有する少なくとも１つの楽器、特に少なくとも１つのギター及び／又はベースギター、を格納するための楽器スタンド、特にマルチギタースタンド、によって、特に上述した本発明の楽器スタンドによって、解決される。前記楽器スタンドは、台と、前記台に組み立て可能であり、前記楽器の前記ボディのためのそれぞれ１つの支持面を有する少なくとも１対の支持部材とを有しており、前記台は、それぞれ非回転対称の、特に多角形の、横断面形状を有する２つの互いに平行に延びる支持バーを有する支持フレームと、前記支持フレームと、接続された当接ハンガーとを有しており、前記当接ハンガーは、前記支持バーに対して平行に延びる当接バーと、前記当接バーをそれぞれ前記支持フレームと接続する少なくとも１つの支持アームとを有しており、前記当接バーは、直接又は前記当接バーに固定可能な当接要素を介して、前記楽器の前記ネックのための少なくとも１つの当接面を定義しており、前記支持フレームは、少なくとも１つの旋回継手を介して、前記当接ハンガーと、旋回移動可能に接続されており、前記当接ハンガーは、第１の噛合手段を有し、固定機構によって、少なくとも１つの端部位置において、好ましくは２つの端部位置において、固定可能である。
【００３３】
旋回移動可能な当接ハンガーは、例えば所定の楽器用に当接ハンガーの支持フレームに対する傾斜角を調節するために、当接ハンガーの位置を変更可能であるという利点を有している。これにより、楽器スタンドは、より柔軟に使用することが出来る。端部位置における当接ハンガーの噛み合いによって、当接ハンガーを意図しない旋回移動（折り畳み）から守ることが出来る。これにより、格納された楽器の損傷、及び／又は、当接ハンガーの意図しない旋回を、例えば持ち運びの際に、阻止することが出来る。
【００３４】
本発明の有利な更なる形態において、固定機構は、屈曲要素は旋回継手の旋回軸に対して鉛直な屈曲自由度及び第１の噛合手段に対応する第２の噛合手段を有し、支持フレームと固く接続された屈曲要素、好ましくは、支持フレームに鋳合わせられた合成材料スプリング要素と、屈曲要素に旋回軸の方向において噛合弾力で当たる、好ましくは金属からなり、支持フレームに支持されたスプリングとを有している。このような固定機構は、構造的に簡単に移動させることが出来る。スプリングは、好ましくは、支持フレームの下側から、支持フレームの横方向キャリアの受容開口部に組み込むことが出来る。金属製のスプリングを使用することには、固定機構に、十分に大きな噛合弾力で当たることが出来るという利点がある。
【００３５】
本発明の有利な更なる形態において、スプリングは、２つのスプリング脚部ペアとスプリング脚部ペアを接続する横方向支柱を有している。スプリング脚部ペアは支持フレームに隣接し、横方向支柱は屈曲要素の切欠きに噛合っている。スプリングは、特に屈曲したワイヤハンガーとして、例えば約３ｍｍの直径を有して、鋼から形成される。このような方法で、スプリングは、十分大きい噛合弾力で屈曲要素に当たることが出来る。
【００３６】
本発明の有利な更なる形態において、特に旋回継手の軸又は軸ボルトを軸方向に固定するために、スプリングのスプリング脚部の端部は、旋回継手の軸の円周切欠きに噛合っている。スプリング脚部の端部は、特にスプリングの真っ直ぐな脚部部分によって、形成される。このような方法で、スプリングは、屈曲要素にバイアスを加えるのに加えて、軸を固定する機能を果たす。
【００３７】
本発明によれば、従来技術とは異なり、回転的に固定するために支持部材の支持バーの横断面形状に適合した支持部材の固定用凹部に基づき、支持バー上に組み立てられた支持部材の全体の長さを長手キャリアの長さに合わせる必要がない。それにもかかわらず、これは、実際そうすることが出来る。一方では、様々な組み立て可能な支持部材の長さ、又は組み立てに適した様々な長さの支持部材のセットは、お互いに、かつ、支持バーの長さに、合わせることが出来るので、多数の異なる構成が実現可能である。他方では、組み立てられた状態で支持部材の相互の軸方向の移動を阻止するために、２つの隣接する支持部材の間にスライドされた、又は、差し込まれた充填要素を設けることが出来る。例えば、様々な構成において、４２０ｍｍ、６６０ｍｍ、又は９００ｍｍの自由な組み立て長さ（２つの横方向キャリア間の支持バーの長さ）で、支持バー上に組み立てるために、支持部材は１２０ｍｍ又は１８０ｍｍの長さで、充填要素は３０ｍｍの長さで設けることが出来る。
【００３８】
次に、本発明の実施例を、図面を参照してより詳細に説明する。図面はそれぞれ、概要図である。
【図面の簡単な説明】
【００３９】
【図１】図１は、３対の本発明の支持部材を有する本発明の楽器スタンドの実施形態を、遠近図で示す。
【図２】図２は、４対の本発明の同じ長さの支持部材を有する本発明の楽器スタンドの実施形態を、遠近図で示す。
【図３】図３は、４対の本発明の異なる長さの支持部材を有する本発明の楽器スタンドの実施形態を、遠近図で示す。
【図４】図４は、１対の本発明の支持部材を有する遠近分解図での本発明の楽器スタンドの実施形態を示す。
【図５】図５は、図１〜図４の１対の本発明の支持部材の２つの実施形態を、異なる長さで、遠近図において示す。
【図６】図６は、図５の１対の本発明の支持部材の概要を、遠近分解図で示す。
【図７ａ】図７ａは、第１の支持整列の支持部材を有する側断面図での図１〜図４の楽器スタンドを、第１の楽器とともに示す。
【図７ｂ】図７ｂは、第２の支持整列の支持部材を有する図７ａの楽器スタンドを、第２の楽器とともに示す。
【図８ａ】図８ａは、本発明の楽器スタンドの実施形態の旋回継手を、当接ハンガーの第１の端部位置とともに、側断面図で示す。
【図８ｂ】図８ｂは、図８ａの旋回継手を、当接ハンガーの第２の端部位置とともに、側断面図で示す。
【図９】図９は、図８ａ及び図８ｂの旋回継手を遠近分解図で示す。
【図１０】図１０は、旋回移動した当接ハンガーを有する図１の楽器スタンドを示す。
【図１１】図１１は、３対の本発明の支持部材及び伸縮可能な支持アームを有する本発明の楽器スタンドの実施形態を、遠近図で示す。
【図１２】図１２は、図１１の楽器スタンドを側面図で示す。
【図１３】図１３は、旋回移動した当接ハンガーを有する図１１の楽器スタンドを示す。
【図１４ａ】図１４ａは、本発明の支持部材の内側キャリア要素を有する本発明の楽器スタンドの実施形態の台を、遠近図で示す。
【図１４ｂ】図１４ｂは、外側のカバー要素を有する本発明の支持部材を有する図１４ａの楽器スタンドを示す。
【図１５】図１５は、本発明の楽器スタンドの実施形態を、３つの異なる楽器とともに、遠近図で示す。
【図１６ａ】図１６ａは、１対の本発明の支持部材を有する本発明の楽器スタンドの実施形態を、遠近分解図で示す。
【図１６ｂ】図１６ｂは、５対の本発明の支持部材を有する図１６ａの楽器スタンドを示す。
【発明を実施するための形態】
【００４０】
以下の本発明の説明において、同様の、及び、同様に作用する要素に対しては、同一の参照符号を使用する。
【００４１】
図１〜図４は、それぞれ同じ機能を持った本発明の支持部材２０ａ、２０ｂを、３対（図１）、４対（図２及び図３）、又は１対だけ（図４）有する楽器スタンド１の実施形態をそれぞれ示す。
【００４２】
図１に示された楽器スタンド１は、台１０、及び、台１０に接続された当接ハンガー１４からなる。台１０は、支持フレーム１１を有している。支持フレーム１１は、２つの平行に延びる支持バー１２ａ、１２ｂ、及び、支持バー１２ａ、１２ｂを接続する横方向キャリア１９によって形成される。支持バー１２ａ、１２ｂ上で、それぞれ、支持部材２０ａ、２０ｂがスライドされている（図４を参照）。図１では、３対の、合わせて６つの同じ支持部材２０ａ、２０ｂが、全て、第１の支持整列Ｓ１で、支持バー１２ａ、１２ｂ上に組み立てられている。支持部材２０ａ、２０ｂは、１つの部品又は複数の部品からなり、特に複数の材料からなるように形成することが出来る。これにより、例えば、３つまでの同様なギターを楽器スタンド１に格納することが出来る。支持部材２０ａ、２０ｂは、シェル形状に形成されており、楽器２、例えばエレクトリックもしくはアコースティックギター又はベースギター、のボディを支持するのに役立つ。組み立てられた支持部材２０ａ、２０ｂは、同一の長さを有している。支持部材２０ａ、２０ｂは、互いに独立して、組み立て可能かつ交換可能である。異なった長さの支持部材２０ａ、２０ｂを組み立てることが出来る。２つの旋回継手１８を介して、当接ハンガー１４が支持フレーム１１と接続されている。当接ハンガー１４は、２つの側方支持アーム１６、１７を有している。側方支持アーム１６、１７は、接続部分を介して、支持バー１２ａ、１２ｂに対して平行に延びている当接バー１５と接続されている。当接バー１５上に３つの当接要素３０がスライドされている。当接要素３０は、支持部材２０ａ、２０ｂに支持された楽器２のネックを立て掛けるための側方当接面３２、３３を有する当接面３１を形成する。支持フレーム１１は、楽器スタンド１を折り畳んだ状態で置くことが出来るようにするために、裏側に脚要素１１０を有している。
【００４３】
図２に示された楽器スタンド１の実施形態において、合わせて４対の支持部材２０ａ、２０ｂのうち、手前の２対は第２の支持整列Ｓ２で組み立てられている一方で、後方の２対は第１の支持整列Ｓ１で組み立てられている。支持部材２０ａ、２０ｂを組み立て直すことによって、２つの支持整列Ｓ１、Ｓ２の間を行ったり来たり変更することが出来る。これは、１対の２つの支持部材２０ａ、２０ｂを交換すること、すなわち、支持部材２０ａ、２０ｂをそれぞれ他の支持バー１２ｂ、１２ａ上に組み立てることによって、又は、各支持部材２０ａ、２０ｂをそれぞれの支持バー１２ａ、１２ｂに反対向きにして組み立てる、すなわち１８０°回転された支持部材２０ａ又は２０ｂをスライドすることによって、実行可能である。図２では、８つの支持部材２０ａ、２０ｂは、すべて同一の長さを有している。
【００４４】
各支持部材２０ａ、２０ｂは、中央支持面２１０ａ、２１０ｂ、及び、側方支持面２２０ａ、２２０ｂ、２３０ａ、２３０ｂを有している。支持面２１０ａ、２１０ｂは、それぞれ支持バー１２ａ、１２ｂに対して傾斜して延びており、互いに対して傾いた支持平面Ｅを定義している（図５、図６、図７ａ、図７ｂを参照）。第１の支持整列Ｓ１では、２つの支持面２１０ａ、２１０ｂは、それぞれ、互いに向き合って、すなわちＶ字形に、整列されている。第２の支持整列Ｓ２では、支持面２１０ａ、２１０ｂは、それぞれ、互いに離れて、すなわちＡ字形に、整列されている。第１の支持整列Ｓ１は、特に丸いボディ形状を有するギターを支持するのに適している一方で、第２の支持整列Ｓ２は、特にＶ字形のボディを有するギターを支持するのに適している。側方支持面２２０ａ、２２０ｂ、２３０ａ、２３０ｂは、支持部材２０ａ、２０ｂによって形成された支持エッジ２７によって形成される。支持エッジ２７は、支持平面Ｅ又は支持面２１０ａ、２１０ｂに向かって突き出ている。側方支持面２２０ａ、２２０ｂ、２３０ａ、２３０ｂは、格納された楽器２が、支持部材２０ａ、２０ｂにおいて、側方にねじれ得ることを阻止する。更に、これにより、楽器２は、互いにぶつかって損傷しなくなる。
【００４５】
図３には、合わせて４対の支持部材２０ａ、２０ｂを有する、図１及び図２に対応する実施形態が示されている。ここで、手前の２対は、後方の２対よりも短く、例えば１２０ｍｍである。後方の２対は、例えば１８０ｍｍである。より短い、又は、より狭い、支持部材２０ａ、２０ｂは、特にエレクトリックギター又はベースギターを支持するのに適している一方で、より長い、又は、より幅広い支持部材２０ａ、２０ｂは、特にアコースティックギターに適している。アコースティックギターは、典型的には、より奥行きがある、又は、より幅広いボディを有している。これに合うように、後方の２つの当接要素３０は、間に中央突出部を有する二重凹部を有して形成され、アコースティックギターのネックに適した当接面３１及び側方当接面３２、３３を、２つの可能な格納方位のそれぞれにおいて、有している。
【００４６】
図４から、楽器スタンド１の組み立て過程又は適合を見て取ることが出来る。支持バー１２ａ、１２ｂは、非回転対称の横断面形状Ｑ１を有するアルミニウム製の成形物として、ここでは四角形の中空成形物として、形成される。この成形物は、横方向キャリア１９の貫通開口部１９０に差し込まれ、正面から、ねじで固定される。横方向キャリア１９は、好ましくはポリアミドなどの合成物質、例えばＰＡ６、から製造されるが、金属、例えばアルミニウム、から製造されることも出来る。スタンド要素１９１は下から設置され、脚要素１１０は後ろからねじで固定される。支持バー１２ａ、１２ｂと同様に、四角形の横断面形状Ｑ２を有するアルミニウム製の成形物から製造される当接バー１５は、接続部分を介して支持アーム１６及び１７と、ねじで固定されている。支持部材２０ａ、２０ｂ及び当接要素３０は、それぞれ支持バー１２ａ、１２ｂと当接バー１５の長手方向において、スライドされる。或いは、これらの部材は、上方又は側方から、支持バー１２ａ、１２ｂに、挟み留めることが出来る。このために、支持部材２０ａ、２０ｂ及び当接要素３０は、固定用凹部２４、３４を有している。これらの固定用凹部は、それぞれ横断面形状Ｑ１とＱ２に合わせられている、又は、横断面形状Ｑ１とＱ２に、形状結合的に一致している。固定用凹部２４、３４を介して、支持部材２０ａ、２０ｂ及び当接要素３０は、ねじれに強く、それぞれ支持バー１２ａ、１２ｂと当接バー１５に、回転的に定められた整列で、固定することが出来る。これにより、更なる固定要素を省略することが出来る。図４から、支持部材２０ａ、２０ｂは、第１の支持整列Ｓ１又は第２の支持整列Ｓ２にするために、それぞれ、逆の方向においても、支持バー１２ａ、１２ｂ上にスライドすることが出来る、又は、相互に交換可能であることが明らかである。これにより、楽器スタンドを使用する際の高い柔軟性、特に様々なタイプの楽器２、特に丸い又はＶ字形のボディを有するギターへの適合可能性がもたらされる。
【００４７】
図５及び図６には、本発明の支持部材２０ａの実施形態が示されている。実施形態は、支持部材２０ｂの場合は、対応するように左右が反対に示されるだろう。図５には、支持部材２０ａの２つの実施形態が、それぞれ異なる長さで、示されている。支持部材２０ａは、１つの中央要素２１ａ及び２つの側方要素２２ａ、２３ａを有して３つの部材から形成されている。側方部材２２ａ、２２ｂは、屈曲及びねじれに強く、熱可塑性の合成物質、例えばポリアミド、例えばＰＡ６から形成される一方で、中央要素２１ａは、軟弾力性を有して、熱可塑性エラストマー（ＴＰＥ）から製造される。したがって、側方要素２２ａ、２３ａは、中央要素２１ａとは別の材料から、特により固く、形成される。側方要素２２ａ、２３ａは、それぞれ、三角形の基本形状を有している。固定用凹部２４は、中央軸Ｍに対して、下の角の領域に設けられている。固定用凹部２４は、支持バー１２ａ、１２ｂの横断面形状Ｑ１に適合した貫通開口部として形成され、側方要素２２ａ、２２ｂを、支持バー１２ａ、１２ｂ上に、形状結合的に、ねじれに強く固定することを可能にする。中央要素２１ａは、中空体２５として形成され、外側２６には、支持面２１０ａ又はこれにより定義される傾斜した支持面Ｅが形成されている。支持面２１０ａは、側方から、側方支持面２２０ａ又は２３０ｂへと移行する。側方支持面２２０ａ又は２３０ａは、アーチ状の支持エッジ２７の内側の側面２７１によって形成される。側方要素２２ａ、２３ａは、側方から、中央要素２１ａに差し込み可能、又は、中央要素２１ａに組み込み可能である。取り囲んだ段状のエッジ成形物２１０又は２２０を介して、両方の側方部材２２ａ、２３ａと中央部材２１ａとの間に、ねじれに強い形状結合的な接続が形成される。支持平面Ｅは、固定用凹部２４又は横断面形状Ｑ１の対称軸Ａに対して、４５°、ねじれている。これにより、支持平面Ｅは、第１及び第２の支持整列Ｓ１、Ｓ２において、互いに対して９０°ねじれて、延びている（図７ａ、図７ｂを参照）。
【００４８】
図７ａ、図７ｂには、楽器スタンド１が、楽器スタンド１に支持された楽器２とともに、示されている。図７ａでは、丸いボディを有するギターが、第１の支持整列Ｓ１で組み立てられた支持部材２０ａ、２０ｂによって支持され、当接要素３０に立て掛けられている。一方、図７ｂでは、Ｖ字型のボディを有するギターが、支持整列Ｓ２で組み立てられた同様の支持部材２０ａ、２０ｂによって支持されている。
【００４９】
図８ａと８ｂには、それぞれ、楽器スタンド１の台１０の旋回継手１８が示されている。旋回継手１８には、固定機構５０が備えられている。例えば繊維強化プラスチックから形成され、支持アーム１６、１７と接続される当接ハンガー１４の継手頭部は、円周輪郭に沿って形成された２つの固定用切欠きの形状をした第１の噛合手段１４１を有している。当接ハンガー１４の第１の端部位置Ｐ１（図８ａ）において、支持アーム１６は、垂直方向に旋回している、すなわち開かれている。当接ハンガー１４の第２の端部位置Ｐ２において、支持アーム１６は、実質的に水平な方向に旋回している、すなわち、折り返され、又は、折り畳まれており、実質的に横方向キャリア１９と平行に延びている。支持フレーム１１には、屈曲要素５１が接続されている。屈曲要素５１は、合成物質の屈曲要素として、支持フレーム１１の内側に鋳合わせられており、旋回軸Ｂの方向に屈曲自由度を有している（図８ａ及び図８ｂでは、下方から上方）。屈曲要素５１は、第１の噛合手段１４１に合うように形成された固定用突出部の形状をした第２の噛合手段５２を有している。この固定用突出部は、当接ハンガー１４をそれぞれの位置で係合させるために、第１及び第２の端部位置Ｐ１、Ｐ２において、それぞれ、２つの第１の噛合手段１４１の他方に噛合っている。支持フレーム１１の内側に支持されているスプリング５３は、屈曲要素５１の下側で切欠き５６に噛合い、第１の噛合手段１４１の方向における噛合弾力で、第２の噛合手段５２に当たる。スプリング５３は、ワイヤハンガーとして、例えば直径３ｍｍを有して、形成される。スプリング５３は、２つのスプリング脚部ペア５４及び２つのスプリング脚部ペア５４を接続する横方向支柱５５を有している。横方向支柱５５は、屈曲要素５１の切欠き５６内にカチッと嵌まる。旋回継手１８の軸１８０は、支持フレーム１１の軸用開口部に、側方から差し込まれている。スプリング脚の端部５７は、軸１８０が軸方向に滑り出ないようにするために、中空の軸１８０の円周切欠き１８１に噛合っている。固定機構５０を有する旋回継手１８の組み立て過程は、図９に、矢印で示されている。まず、スプリング５３は下方から横方向キャリア１９の受容用開口部に、当接ハンガー１４は上方から、組み込まれる。その後、軸１８０が、側方から挿入される。スプリング５３及び屈曲要素５１は、スプリング脚部ペア５４が軽く上方へ曲げられるように、取り付けられた状態でバイアスを加えられている。図１０には、第２の端部位置Ｐ２で噛合った当接ハンガー１４を有する楽器スタンド１が示されている。この位置Ｐ２において、楽器スタンド１は、例えば、実際に持ち運んだり、場所をとらずに片付けたり、特に、脚要素１１０を下にして置くことが出来る。加えて、楽器スタンド１を引っ張る又は動かすために、２つ又は４つの底ローラーを台１０に設けることが出来る。
【００５０】
図１１、図１２、図１３には、伸縮自在な支持アーム１６、１７を有する楽器スタンド１の実施形態が示されている。支持アーム１６、１７は、それぞれ、外側支持アーム成形物４１及び内側支持アーム成形物４２を有している。外側支持アーム成形物４１及び内側支持アーム成形物４２は、互いに移動可能に配置され、ロック手段４３を介して互いに対して伸縮された又は畳まれた位置に固定することが出来る。図１１には、伸縮された位置が示されている。伸縮可能な支持アーム１６、１７は、図１０と図１３の比較から明らかなように、楽器スタンド１のより小さい設置寸法又はパッキング寸法を可能とする。例えば、楽器スタンド１が折り畳まれた状態での支持アーム１６、１７の全長を約２０〜２５ｃｍ短縮することが可能である。
【００５１】
図１４ａ、図１４ｂには、支持部材２０ａ、２０ｂの代替的な実施形態が示されている。支持部材２０ａ、２０ｂは、支持バー１２ａ、１２ｂの横断面形状Ｑ１に適合した固定用凹部２４を有する、屈曲及びねじれに強く形成された内側キャリア要素２８を有する。既に図１ないし図４を参照して説明したように、内側キャリア要素２８は、異なる支持整列Ｓ１及びＳ２で、支持バー１２ａ又は１２ｂ上に組み立てることが出来る。楽器２を支持するために、内側キャリア要素２８上に、好ましくは軟弾力性を有して１つの部品から形成されたカバー要素２９を、好ましくは両側から、形状結合的に差し込むことが出来る、又は、載せることが出来る。カバー要素２９の裏面に、内側キャリア要素２８に適合した固定手段が設けられている。カバー要素２９は、組み立てられた状態での支持バー１２ａ、１２ｂの案内を可能とするために、側方バー用凹部２９０を有している。
【００５２】
図１５には、４対の異なる長さの支持要素２０ａ、２０ｂを有する楽器スタンド１が示されている。全部で３つの異なるタイプの楽器２を受容するために、支持要素２０ａ、２０ｂは、２つの異なる支持整列Ｓ１及びＳ２で、組み立てられている。
【００５３】
図１６ａ及び図１６ｂには、５対の支持部材２０ａ、２０ｂを有する楽器スタンド１とその組み立て（図１６ａの矢印を参照）が示されている。この５対の支持部材２０ａ、２０ｂは、機能的には、図１〜図４を参照して説明した支持部材２０ａ、２０ｂに対応しているが、代替的な形状を有している。支持部材２０ａ、２０ｂは、２倍の数の湾曲したサポート面２１０ａ、２１０ｂを有している。この湾曲は、支持バー１２ａ、１２ｂに対して鉛直に外側に向かい（凸状）、支持バー１２ａ、１２ｂの方向に対して平行に内側に向かっている（凹状）。これにより、支持部材２０ａ、２０ｂ上に、楽器２のより小さい支持面が形成される。支持部材２０ａ、２０ｂは、１つの部品から形成され、その下側に、成形された固定用受容部２４を有している。固定用受容部２４は、支持バー１２ａ、１２ｂの横断面形状Ｑ１に適合されている。
【００５４】
本発明の楽器スタンド１は、特に、異なるタイプの楽器２、好ましくは丸いボディ及びＶ字型のボディを有するギター、を確実に格納出来るようにするために、柔軟に使用することが出来る、且つ、簡単にミュージシャンの個々の需要に適合することが出来る、という利点を有している。
【００５５】
ここで、上述した全ての本発明の態様は、単独でも、任意のあらゆる組み合わせでも、特に図面に示された細部は、本発明にとって本質的なものとして権利請求されることに留意すべきである。これらの変形は、当業者にとって通常よく知られていることである。
【符号の説明】
【００５６】
１…楽器スタンド、
２…楽器、特にギター、
１０…架台、
１１…支持フレーム、
１２ａ、１２ｂ…支持バー、
１４…当接ハンガー、
１５…当接バー、
１６…支持アーム、
１７…支持アーム、
１８…回転継手、
１９…横架台、
２０ａ、２０ｂ…支持部材、
２１ａ、２１ｂ…中央要素、
２２ａ、２２ｂ…側方要素、
２３ａ、２３ｂ…側方要素、
２４…（支持部材の）固定用凹部、
２５…中空体、
２６…外側、
２７…支持エッジ、
２８…内側支持要素、
２９…外側カバー要素、
３０…当接要素、
３１…当接面、
３２、３３…側方当接面、
３４…（当接要素の）固定用凹部、
４１…外側支持アーム成形物、
４２…内側支持アーム成形物、
４３…ロック手段、
５０…固定機構、
５１…屈曲要素、
５２…第２の噛合手段、特に固定用突出部、
５３…スプリング、
５４…スプリング脚部ペア、
５５…横方向支柱、
５６…切欠き、
５７…スプリング脚部の端部、
１１０…脚要素、
１４１…第１の噛合手段、特に固定用切欠き、
１９０…貫通開口部、
１９１…スタンド要素、
１８０…軸、
１８１…円周切欠き、
２１０…エッジ成形物、
２２０…エッジ成形物、
２１０ａ、２１０ｂ…支持面、
２２０ａ、２２０ｂ…側方支持面、
２３０ａ、２３０ｂ…側方支持面、
２７１…内側の側面、
２７２…外側の側面、
２９０…バー用凹部、
Ｑ１…（支持バーの）横断面形状、
Ｑ２…（当接バーの）横断面形状、
Ａ…（支持バーの固定用凹部の）対称軸、
Ｂ…旋回軸、
Ｍ…（支持部材の）中央軸、
Ｅ…支持平面、
Ｓ１…（支持部材の）第１の支持整列、
Ｓ２…（支持部材の）第２の支持整列、
Ｐ１…（当接ハンガーの）第１の端部位置、
Ｐ２…（当接ハンガーの）第２の端部位置。
【図１】
2019124903.tif 000003
【図２】
2019124903.tif 000004
【図３】
2019124903.tif 000005
【図４】
2019124903.tif 000006
【図５】
2019124903.tif 000007
【図６】
2019124903.tif 000008
【図７ａ】
2019124903.tif 000009
【図７ｂ】
2019124903.tif 000010
【図８ａ】
2019124903.tif 000011
【図８ｂ】
2019124903.tif 000012
【図９】
2019124903.tif 000013
【図１０】
2019124903.tif 000014
【図１１】
2019124903.tif 000015
【図１２】
2019124903.tif 000016
【図１３】
2019124903.tif 000017
【図１４ａ】
2019124903.tif 000018
【図１４ｂ】
2019124903.tif 000019
【図１５】
2019124903.tif 000020
【図１６ａ】
2019124903.tif 000021
【図１６ｂ】
2019124903.tif 000022
【外国語明細書】
2019124903000001.pdf